(57)【要約】【課題】  ディジタルＩＦ変調処理用のシステムクロックを周波数偏差の小さいクロックと位相比較し、その位相差を補正して位相回転を行って、変調波のＩＦ送信周波数が端末側から入力される送信データのクロック周波数偏差に依存しないディジタルＩＦ変調装置を得ることを目的とする。【解決手段】  ＩＦ周波数クロック生成部９により送信データクロックからＩＦ周波数相当のＩＦクロックを生成する。周波数偏差の少ない固定クロック生成部８の出力クロックをＩＦ周波数クロック生成部１０へ入力し、ＩＦ周波数相当のＩＦクロックを生成する。ＩＦ周波数クロック生成部９及び１０から出力されるＩＦクロックの位相を比較し、その位相差データ１７を位相補正部１２へ出力する。位相補正部１２では、ＩＦ送信周波数相当の位相回転量１８に対して位相差データ１７を減算補正し、補正した位相回転量１９をローカル信号発生器２へ出力する。【選択図】        図１
2006237976.tif 000002
【特許請求の範囲】
【請求項１】
送信データのデータクロックから第１のＩＦクロックを生成する第１のＩＦ周波数クロック生成部と、周波数偏差の小さい固定クロックから第２のＩＦクロックを生成する第２のＩＦ周波数クロック生成部と、上記第１及び第２のＩＦクロックの位相を比較して位相差を検出する位相比較部と、この位相比較部が出力する位相差信号によりＩＦ送信周波数相当の位相回転量を補正する位相補正部と、この位相補正部により補正した位相回転量によりシステムクロックを位相調整してローカル信号を生成するローカル信号発生器と、上記送信データをＩｃｈデータとＱｃｈデータにマッピングするマッピング部と、このマッピング部からのＩｃｈデータとＱｃｈデータとを上記ローカル信号発生器からのローカル信号により直交変調する直交変調部とを備えたことを特徴とするディジタルＩＦ変調装置。
【発明の詳細な説明】
【技術分野】
【０００１】
この発明は、入力データの周波数変動に合わせてＩＦ変調周波数変動を起きないようにするディジタルＩＦ変調装置に関するものである。
【背景技術】
【０００２】
例えば、特開２０００−２０９２９０には従来のディジタルＩＦ変調装置が開示されている。この従来のディジタルＩＦ変調装置は、ベースバンド変調器により送信データをＩｃｈデータ及びＱｃｈデータへ変換し、ベースバンドフィルタにより波形整形などのフィルタ処理を行って直交変調部へ入力する。ローカル信号発生器の出力信号とその出力信号の位相を９０度進ませた信号を直交変調部へ入力してＩｃｈデータとＱｃｈデータに乗算し、乗算後加算してディジタル変調波を生成する。ディジタル変調波はＤ／Ａ変換器によりアナログ変換される。ベースバンド変調器から出力されるＩｃｈデータ及びＱｃｈデータのシンボルレートｆｂは、通信システムの仕様によって決定される値とされており、ベースバンドフィルタや直交変調部、Ｄ／Ａ変換器におけるサンプリング周波数は、上記シンボルレートｆｂに同期させるものとしている。
【０００３】
【特許文献１】特開２０００−２０９２９０
【発明の開示】
【発明が解決しようとする課題】
【０００４】
従来のディジタルＩＦ変調装置は、変調処理をディジタル処理で行なうため安定した変調処理を実現することが可能である。しかし、上記のようにシンボルレートｆｂに同期させるためには、端末からの送信データクロックをマスターとしてそこからシンボルレートの整数のクロックが生成されているものと考えられる。このように生成したクロックをディジタルＩＦ変調処理用のシステムクロックとして変調処理を行なうため、端末からの送信データに生じたクロック周波数偏差に伴って、変調処理後のＩＦ送信周波数も同等の偏差を持つことになり、送信周波数のずれが大きくなるという問題点があった。さらにこの周波数偏差の変動に伴い位相ジッタが増加し、受信機のＢＥＲに影響を与えるという問題点もあった。
【０００５】
この発明は、上記のような問題点を解決するためになされたもので、ディジタルＩＦ変調処理用のシステムクロックを、別途用意した周波数偏差の小さいクロックと位相比較を行い、その位相差を補正して位相回転を行なうことで、変調波のＩＦ送信周波数が端末側から入力される送信データのクロック周波数偏差に依存しないようなディジタルＩＦ変調装置を得ることを目的とする。
【課題を解決するための手段】
【０００６】
請求項１の発明に係るディジタルＩＦ変調装置は、送信データのデータクロックから第１のＩＦクロックを生成する第１のＩＦ周波数クロック生成部と、周波数偏差の小さい固定クロックから第２のＩＦクロックを生成する第２のＩＦ周波数クロック生成部と、上記第１及び第２のＩＦクロックの位相を比較して位相差を検出する位相比較部と、この位相比較部が出力する位相差信号によりＩＦ送信周波数相当の位相回転量を補正する位相補正部と、この位相補正部により補正した位相回転量によりシステムクロックを位相調整してローカル信号を生成するローカル信号発生器と、上記送信データをＩｃｈデータとＱｃｈデータにマッピングするマッピング部と、このマッピング部からのＩｃｈデータとＱｃｈデータとを上記ローカル信号発生器からのローカル信号により直交変調する直交変調部とを備えたものである。
【発明の効果】
【０００７】
請求項１に記載の発明によれば、ディジタルＩＦ変調処理用のシステムクロックを、周波数偏差の小さいクロックと位相比較し、その位相差によりＩＦ送信周波数相当の位相回転量を補正し、送信データを直交変調するので、変調波のＩＦ送信周波数が端末側から入力される送信データのクロック周波数偏差に依存しないようにすることができる。
【発明を実施するための最良の形態】
【０００８】
実施の形態１
【０００９】
この発明の実施の形態１に係るディジタルＩＦ変調装置を図１に基づいて説明する。図１はこの発明の実施の形態１に係るディジタルＩＦ変調装置の構成を示すブロック図である。図１において、１は直交変調部、２はローカル信号発生器、３はＤ／Ａ変換器、４はアナログフィルタである。５は入力される送信データをＩｃｈデータ及びＱｃｈデータにマッピング処理するマッピング部、６ａ及び６ｂはそれぞれＩｃｈデータ及びＱｃｈデータをフィルタ処理するディジタルフィルタ部である。７は符号化処理装置からの送信データクロックが入力され、一連のディジタル変調処理に用いるシステムクロックを生成するディジタルＩＦ変調処理用クロック生成部である。８は固定のクロックを生成する固定クロック生成部、９は送信データに基づいてＩＦクロックを生成するＩＦ周波数クロック生成部、１０は固定クロック生成部８からの固定クロックに基づいてＩＦクロックを生成するＩＦ周波数クロック生成部、１１はＩＦ周波数クロック生成部９及び１０が出力するＩＦクロックの位相を比較する位相比較部、１２は位相補正部である。１３はディジタルＩＦ変調装置、１４は符号化処理装置であり、１５はディジタルＩＦ変調装置１３の出力信号をＲＦ帯信号に変換等するＲＦ帯処理装置、１６はＲＦ送信信号を送信するアンテナ装置である。
【００１０】
次にディジタルＩＦ変調装置の動作について説明する。ディジタルＩＦ変調装置１３内のマッピング部５は、符号化処理装置１４から符号化処理した送信データを受信して，Ｉｃｈ、Ｑｃｈデータへ変換するマッピング処理を行い、ディジタルフィルタ部６ａ、６ｂへＩｃｈデータおよびＱｃｈデータを出力する。ディジタルフィルタ部６ａおよび６ｂは入力されたデータに対して，波形整形などのフィルタ処理をオーバサンプル処理で行い直交変調部１へフィルタ処理後のＩｃｈデータおよびＱｃｈデータを出力する。
【００１１】
ここで、符号化処理装置１４からの送信データは、符号化処理装置１４からの送信データクロックに同期してマッピング部５に入力している。また、ディジタルＩＦ変調処理用クロック生成回路７は、符号化処理装置１４からの送信データクロックに基づいて、シンボルレートやその整数倍のクロックを生成し、シンボルレートの整数倍のクロックをオーバサンプリング処理用のシステムクロックとして、ディジタルフィルタ部６ａ、６ｂや直交変調部１、Ｄ／Ａ変換器３に供給する。
【００１２】
一方、符号化処理装置１４からの送信データクロックからＩＦ周波数クロック生成部９にてＩＦ周波数相当のＩＦクロックを生成する。また、周波数偏差の少ない固定クロック生成部８の出力クロックをＩＦ周波数クロック生成部１０へ入力し、ＩＦ周波数相当のＩＦクロックを生成する。位相比較部１１ではＩＦ周波数クロック生成部９及び１０から出力されるＩＦクロックの位相を比較し、その位相差データ１７を位相補正部１２へ出力する。位相補正部１２では、ディジタルＩＦ変調処理用クロック生成回路７が出力するシステムクロックの周波数偏差を補正するために、ディジタルＩＦ変調システムクロックの１クロックあたりのＩＦ送信周波数相当の位相回転量１８に対して位相差データ１７を減算して補正し、その結果を補正した位相回転量１９としてローカル信号発生器２へ出力する。なお、ＩＦ送信周波数相当の位相回転量１８はＩＦ送信周波数値をローカル信号発生器２の動作クロックとして使用されているディジタルＩＦ変調システムクロックの周波数で割ることで求められる。例えば、割った結果が１なら１クロックあたり３６０度位相回転することを意味する。
【００１３】
ローカル信号発生器２では、内部のＮＣＯにより位相回転量１９に基づいてシステムクロックの位相回転を行って位相調整し、ローカル信号２０とこのローカル信号２０の位相を９０度進めたローカル信号２１を生成して直交変調部１へ出力する。直交変調部１は、Ｉｃｈデータをローカル信号２０により位相回転し、Ｑｃｈデータをローカル信号２１により位相回転し、位相回転後の各データを加算して変調データとしてＤ／Ａ変換器３へ出力する。直交変調部１は、補正した位相回転量１９の値を用いて位相回転を行うこととなるので、変調データのＩＦ送信周波数は、符号化処理装置１４からの送信データクロックが持つ周波数偏差の値を除去することができる。
【００１４】
Ｄ／Ａ変換器３は、入力された変調データをアナログ信号へ変換し、アナログフィルタ４はＤ／Ａ変換器３の出力データの折返し雑音を除去して出力する。さらに、アタログフィルタ４の出力は、送信レベル制御部にて規定の出力レベルになるように制御され、その結果をＩＦ帯変調波出力２２としてＲＦ帯処理装置１５へ出力する。ＲＦ帯処理装置１５は変調波の周波数をＲＦ帯の周波数に変換し、その結果をＲＦ帯変調波出力としてアンテナ処理装置１６へ出力し、アンテナ処理装置１６により空中に向けてＲＦ送信信号として送出される。
【図面の簡単な説明】
【００１５】
【図１】この発明の実施の形態１に係るディジタルＩＦ変調装置の構成を示すブロック図である。
【符号の説明】
【００１６】
１  直交変調部
２  ローカル信号発生器
５  マッピング部
９  第１のＩＦ周波数クロック生成部
１０  第２のＩＦ周波数クロック生成部
１１  位相比較部
１２  位相補正部
【図１】
2006237976.tif 000003